(57)【特許請求の範囲】
【請求項１】
前後に開口する透視窓部(42)を有する装飾部材(40)が配設された遊技盤(38)と、前記遊技盤(38)に配設され、セーフ球検出用のスイッチを組込んだ始動入賞具(62)と、前記遊技盤(38)の裏側に配設されて前記透視窓部(42)を介して複数列・複数段の図柄(44)を停止表示可能で、前記始動入賞具(62)のセーフ球検出により透視窓部(42)を介して表示される複数列・複数段の図柄(44)が変動・停止されて図柄組合わせゲームを展開して予め設定された図柄同士の組合わせに係る特別遊技状態を呈し得る図柄表示装置(18)と、前記透視窓部(42)を介して表示された複数列・複数段の図柄(44)により現出され得る図柄組合わせの有効ラインを表示する有効ライン表示装置(11A,11C,11E)とを備えた遊技機であって、
前記有効ライン表示装置(11A,11C,11E)は、
前記図柄表示装置(18)の前側において前記装飾部材(40)の透視窓部(42)に対応する位置に略垂直姿勢で配設される透明板(12a〜12h)と、
リング状に形成されて内側に前記透明板(12a〜12h)が固定され、該透明板(12a〜12h)と一体的に略垂直平面内で回転可能に支持されたリング状支持体(26)と、
前記リング状支持体(26)の外周縁に当接する駆動ローラ(28)を回転することで前記透明板(12a〜12h)を回転させる回転駆動手段(14)と、
前記始動入賞具(62)のセーフ球検出により前記回転駆動手段(14)に回転信号を送信すると共に、前記透明板(12a〜12h)の回転方向または回転速度のうち少なくとも何れか一方を可変するよう該回転駆動手段(14)を制御する駆動制御手段(16)と、
前記透明板(12a〜12h)の裏面に直線的に延在する溝状に形成されて特別遊技状態となり得る図柄組合わせの有効ラインを表示し、該透明板(12a〜12h)の裏面から谷部に向けて対向的に傾斜する一対の反射面(32)を有する断面三角形状の線状部(22A,22C,22E,22F,23A〜23J)と、
前記透明板(12a〜12h)の外方に配設されて前記線状部(22A,22C,22E,22F,23A〜23J)の端部に対向すると共に該透明板(12a〜12h)と一体的に回転し、照射光を常に線状部(22A,22C,22E,22F,23A〜23J)の反射面(32)に対して略一定角度で照射して明輝表示させるＬＥＤランプ(24)とを備える
ことを特徴とする遊技機。
【請求項２】
前後に開口する透視窓部(42)を有する装飾部材(40)が配設された遊技盤(38)と、前記遊技盤(38)に配設され、セーフ球検出用のスイッチを組込んだ始動入賞具(62)と、前記遊技盤(38)の裏側に配設されて前記透視窓部(42)を介して複数列・複数段の図柄(44)を停止表示可能で、前記始動入賞具(62)のセーフ球検出により透視窓部(42)を介して表示される複数列・複数段の図柄(44)が変動・停止されて図柄組合わせゲームを展開して予め設定された図柄同士の組合わせに係る特別遊技状態を呈し得る図柄表示装置(18)と、前記透視窓部(42)を介して表示された複数列・複数段の図柄(44)により現出され得る図柄組合わせの有効ラインを表示する有効ライン表示装置(11B,11D,11F)とを備えた遊技機であって、
前記有効ライン表示装置(11B,11D,11F)は、
前記図柄表示装置(18)の前側において前記装飾部材(40)の透視窓部(42)に対応する位置に略垂直姿勢で配設されると共に、略垂直平面内で回動可能に支持された円形の透明板(12b,12d,12g,12h)と、
前記円形の透明板(12b,12d,12g,12h)の外周縁部に当接する駆動ローラ(28)を回転することで前記円形の透明板(12b,12d,12g,12h)を回転させる回転駆動手段(14)と、
前記円形の透明板(12b,12d,12g,12h)の回転方向または回転速度のうち少なくとも何れか一方を可変するよう前記回転駆動手段(14)を制御する駆動制御手段(16)と、
前記円形の透明板(12b,12d,12g,12h)の裏面に直線的に延在する溝状に形成されて特別遊技状態となり得る図柄組合わせの有効ラインを表示し、該円形の透明板(12b,12d,12g,12h)の裏面から谷部に向けて対向的に傾斜する一対の反射面(32)を有する断面三角形状の線状部(22B,22D,22G,22H,23A〜23J)と、
前記円形の透明板(12b,12d,12g,12h)の外方において周方向に離間する位置に、照射光が円形の透明板(12b,12d,12g,12h)の外周縁に向くよう複数配設され、照射光を線状部(22B,22D,22G,22H,23A〜23J)の反射面(32)に照射して明輝表示させ得るＬＥＤランプ(24)とを備える
ことを特徴とする遊技機。
【請求項３】
前記線状部(22A〜22H,23A〜23J)における反射面(32)は、前記ＬＥＤランプ(24)の近傍では不透明度が小さく、該ＬＥＤランプ(24)から離れる程に不透明度が徐々に増大するように設定される請求項１または２記載の遊技機。
【請求項４】
前記図柄表示装置(18)は、前記透視窓部(42)を介して３列・３段の図柄(44)を停止表示し得るよう構成されると共に、
前記透明板(12e,12f,12g,12h)は前後に重なるよう複数設けられて、該複数の透明板(12e,12f,12g,12h)の夫々に対応して設けられた前記回転駆動手段(14)および駆動制御手段(16)により独立して回転制御し得るよう構成され、
前記各透明板(12e,12f,12g,12h)には、前記透視窓部(42)を介して臨む図柄表示装置(18)の中列中段の位置に対応した回転中心から各透明板(12e,12f,12g,12h)の端縁部までの長さで前記線状部(22E,22F,22G,22H)が形成される請求項１〜３の何れか一項に記載の遊技機。
【発明の詳細な説明】
【０００１】
【発明の属する技術分野】
この発明は、透視窓部に停止表示された複数列・複数段の図柄により現出され得る図柄組合わせの有効ラインを、前記透視窓部に配設される透視体に設けた指示部で表示するようにした有効ライン表示装置を有する遊技機に関するものである。
【０００２】
【従来の技術】
パチンコ機、スロットマシンあるいはパチンコ式スロットマシン等の遊技機では、遊技中に発生する毎回の始動および停止を含む変動制御条件に基いて図柄組合わせゲームを展開すると共に、特別遊技状態に係る権利とされる図柄組合わせ条件を成立表示することのできる遊技装置として、ドラム式図柄表示装置、ベルト式図柄表示装置、液晶式図柄表示装置等の各種形態の図柄表示装置が好適に採用されている。この図柄表示装置の配設態様としては、図１６および図１７に示す如く、遊技盤３８の前面中央に配設された大型装飾部材４０の裏側に整合するように、各種の図柄表示装置１８が設置固定されて、該大型装飾部材４０に開口された透視窓部４２に対して図柄表示装置１８の図柄表示部分が整合して正面側から視認し得るようになっている。
【０００３】
例えば液晶式図柄表示装置では、図１７に示すように、透視窓部４２に対応して３列×３段で合計９個の図柄４４が表示されるよう設定され、特別遊技状態となり得る図柄組合わせの有効ラインとしては、例えば▲１▼各列上段に停止した夫々の図柄同士、▲２▼各列中段に停止した夫々の図柄同士、▲３▼各列下段に停止した夫々の図柄同士、▲４▼左列上段、中列中段、右列下段に停止した夫々の図柄同士、▲５▼左列下段、中列中段、右列上段に停止した夫々の図柄同士等の５種類が基本となる。
【０００４】
【発明が解決しようとする課題】
前記遊技機では、遊技機使用権利媒体としてのコインまたはパチンコ球の投入数に応じて、特別遊技状態となり得る有効ラインの数が変更されるものが存在し、このような遊技機では、その有効ラインが何本存在しているかと云うことが遊技者にとって重要な関心事となる。そこで、前記大型装飾部材４０の透視窓部４２に装着された透視体１０に、夫々の図柄組合わせラインに対応した有効ラインＬ１,Ｌ２,Ｌ３,Ｌ４,Ｌ５を形成している。
【０００５】
しかし、従来の有効ラインは、前記透視体１０の表面に対して、適宜色調の塗料により塗装したり、シール等を貼着または蒸着したりして固定的に表示するのが一般的であり、視覚的効果が低く、娯楽性にも乏しかった。なお、有効ラインを光源によって表示したものも存在するが、この場合は光源の点灯・消灯により該ラインを表示したり表示しなくしたりするだけである。すなわち、有効ラインを動的な演出で表示するものは存在していなかった。
【０００６】
【発明の目的】
本発明は、前述した従来の技術に内在している前記課題に鑑み、これを好適に解決するべく提案されたものであって、有効ラインを動的な演出で表示することで、視覚的効果を高めて娯楽性に富む遊技を行ない得るようにした有効ライン表示装置を有する遊技機を提供することを目的とする。
【０００７】
【課題を解決するための手段】
前述した課題を克服し、所期の目的を好適に達成するため本発明は、
前後に開口する透視窓部を有する装飾部材が配設された遊技盤と、前記遊技盤に配設され、セーフ球検出用のスイッチを組込んだ始動入賞具と、前記遊技盤の裏側に配設されて前記透視窓部を介して複数列・複数段の図柄を停止表示可能で、前記始動入賞具のセーフ球検出により透視窓部を介して表示される複数列・複数段の図柄が変動・停止されて図柄組合わせゲームを展開して予め設定された図柄同士の組合わせに係る特別遊技状態を呈し得る図柄表示装置と、前記透視窓部を介して表示された複数列・複数段の図柄により現出され得る図柄組合わせの有効ラインを表示する有効ライン表示装置とを備えた遊技機であって、
前記有効ライン表示装置は、
前記図柄表示装置の前側において前記装飾部材の透視窓部に対応する位置に略垂直姿勢で配設される透明板と、
リング状に形成されて内側に前記透明板が固定され、該透明板と一体的に略垂直平面内で回転可能に支持されたリング状支持体と、
前記リング状支持体の外周縁に当接する駆動ローラを回転することで前記透明板を回転させる回転駆動手段と、
前記始動入賞具のセーフ球検出により前記回転駆動手段に回転信号を送信すると共に、前記透明板の回転方向または回転速度のうち少なくとも何れか一方を可変するよう該回転駆動手段を制御する駆動制御手段と、
前記透明板の裏面に直線的に延在する溝状に形成されて特別遊技状態となり得る図柄組合わせの有効ラインを表示し、該透明板の裏面から谷部に向けて対向的に傾斜する一対の反射面を有する断面三角形状の線状部と、
前記透明板の外方に配設されて前記線状部の端部に対向すると共に該透明板と一体的に回転し、照射光を常に線状部の反射面に対して略一定角度で照射して明輝表示させるＬＥＤランプとを備えることを特徴とする。
【０００８】
前述した課題を克服し、所期の目的を好適に達成するため、本願の別の発明に係る遊技機は、
前後に開口する透視窓部を有する装飾部材が配設された遊技盤と、前記遊技盤に配設され、セーフ球検出用のスイッチを組込んだ始動入賞具と、前記遊技盤の裏側に配設されて前記透視窓部を介して複数列・複数段の図柄を停止表示可能で、前記始動入賞具のセーフ球検出により透視窓部を介して表示される複数列・複数段の図柄が変動・停止されて図柄組合わせゲームを展開して予め設定された図柄同士の組合わせに係る特別遊技状態を呈し得る図柄表示装置と、前記透視窓部を介して表示された複数列・複数段の図柄により現出され得る図柄組合わせの有効ラインを表示する有効ライン表示装置とを備えた遊技機であって、
前記有効ライン表示装置は、
前記図柄表示装置の前側において前記装飾部材の透視窓部に対応する位置に略垂直姿勢で配設されると共に、略垂直平面内で回動可能に支持された円形の透明板と、
前記円形の透明板の外周縁部に当接する駆動ローラを回転することで前記円形の透明板を回転させる回転駆動手段と、
前記円形の透明板の回転方向または回転速度のうち少なくとも何れか一方を可変するよう前記回転駆動手段を制御する駆動制御手段と、
前記円形の透明板の裏面に直線的に延在する溝状に形成されて特別遊技状態となり得る図柄組合わせの有効ラインを表示し、該円形の透明板の裏面から谷部に向けて対向的に傾斜する一対の反射面を有する断面三角形状の線状部と、
前記円形の透明板の外方において周方向に離間する位置に、照射光が円形の透明板の外周縁に向くよう複数配設され、照射光を線状部の反射面に照射して明輝表示させ得るＬＥＤランプとを備えることを特徴とする。
【０００９】
【作用】
透視窓部に対応的に配設した透明板を回転駆動手段により回転し、該透明板を駆動制御手段により回転停止することで、該透明板に設けられた線状部により図柄組合わせの有効ラインが動的に演出表示される。また、透明板の回転方向あるいは回転速度を変化させることによって、視覚的効果が向上する。更に、透明板を複数の透明板で構成することで、より複雑な演出で図柄組合わせの有効ラインを表示することができる。なお、光源を使用して透視体の線状部を明輝表示させることで、遊技者に明確に図柄組合わせの有効ラインを認識させることができる。
【００１０】
また前記有効ライン表示装置を備える遊技機では、図柄表示装置の図柄組合わせゲームと、有効ライン表示装置による図柄組合わせ有効ラインの動的な演出表示によって、より興趣に富んだ遊技が可能となる。
【００１１】
【発明の実施の形態】
次に、本発明に係る有効ライン表示装置を有する遊技機につき、好適な実施例を挙げて、添付図面を参照しながら以下詳細に説明する。なお、図１６および図１７に関して従来の技術で説明した部材・部位と同一の部材・部位については、同一の符号を付して説明する。また本実施例の有効ライン表示装置は、図柄組合わせ遊技機としてのパチンコ機、スロットマシンあるいはパチンコ式スロットマシン等に好適に実施可能とされるものであるが、実施例では主にパチンコ機を例に挙げて説明することとする。更に、実施例では透視窓部に複数列・複数段で停止表示される全ての図柄を異ならせることが可能な図柄表示装置を備えている場合で説明する。
【００１２】
図２に全体が略示されたパチンコ機Ｐは、機前側から着脱交換可能に装着セットされた遊技盤３８の遊技領域において、アウト口６０が形成される一方、セーフ球検出用のスイッチ(図示せず)を組込んだ始動入賞具６２と、「大当り」の成立時に開成条件が付与される電動入賞装置６４および図柄表示装置１８等が夫々配設されている。なお電動入賞装置６４では、遊技球用の入賞領域６６に対する開閉部材６８が電磁ソレノイド(図示せず)の設定駆動条件に基いて開閉変化されるようになっており、また入賞領域６６に入ったセーフ球をカウント用スイッチと特別スイッチ(図示せず)とにより検出し得、特別スイッチのセーフ球検出に基いて電動入賞装置６４自体の開成作動継続条件が成立可能とされている。
【００１３】
前述のパチンコ機Ｐに実施される、例えば液晶式の図柄表示装置１８は、遊技盤３８の前面側に装着セットされる大型装飾部材４０の裏側に整合するよう配設されて、該装飾部材４０に開口された図柄表示部としての透視窓部４２を介して、該図柄表示装置１８の図柄表示部分が正面側から視認し得るよう構成される。そして、この図柄表示装置１８では、前記始動入賞具６２のスイッチからの始動信号入力条件により、図示しない制御回路装置から発生される制御出力に基いて、図柄表示部分の図柄４４が変動・停止されるよう設定される。なお図柄表示装置１８では、前記透視窓部４２に複数列・複数段、具体的には３列×３段で合計９個の図柄４４を停止表示するよう構成されている。
【００１４】
【第１実施例に係る有効ライン表示装置について】
前述のパチンコ機Ｐに実施される第１実施例に係る第１の有効ライン表示装置１１Ａは、図１に示すように、回動可能な透視体１０と、該透視体１０を回転させる回転駆動手段１４と、当該透視体１０の少なくとも回転開始および回転停止の制御を行なう駆動制御手段１６(図２参照)とから基本的に構成され、該有効ライン表示装置１１Ａは、前記図柄表示装置１８の前側であって、前記大型装飾部材４０の透視窓部４２に対応する位置、例えば窓部内、前側あるいは後側において透視体１０が略垂直姿勢で配設される。第１実施例の透視体１０は、１枚の矩形状に形成された透明板(以下 第１矩形透明板と云う)１２ａで構成される。この第１矩形透明板１２ａは、例えば透明性や光線拡散性等に優れたアクリル板等が好適に採用され、その板厚が概ね３ｍｍ程度に設定されると共に(図３)、大型装飾部材４０の透視窓部４２を略覆い得る外形寸法に設定される。なお、第１矩形透明板１２ａの材質としてはアクリルに限らず、透明であればガラス等、その他のものであってもよい。
【００１５】
前記第１の有効ライン表示装置１１Ａは、複数の支持ローラ３０に支持されて回動可能なリング状支持体２６を備え、該支持体２６の内側に、前記第１矩形透明板１２ａが一体的に回動可能に配設されている。またモータ等の回転駆動手段１４により正逆回転可能な駆動ローラ２８が、リング状支持体２６の外側に当接するよう配設されており、該回転駆動手段１４を正逆回転することで、第１矩形透明板１２ａが略垂直平面内で正逆方向に回転するよう構成される。そして、この回転駆動手段１４の回転開始、回転停止、回転方向および回転速度が、前記駆動制御手段１６によって制御されるようになっている。
【００１６】
前記第１矩形透明板１２ａの裏面には、図１において左右に対向する一対の対向片間において、該透明板１２ａの上下方向の略中央(板面の中央)を通る位置に指示部としての第１の線状部２２Ａが形成されている。この第１の線状部２２Ａは、前記図柄表示装置１８に停止表示される縦・横または斜め方向に整列する３つの図柄４４を同時に示し得る長さに設定されており(図５参照)、該線状部２２Ａによって特別遊技状態となり得る図柄組合わせの有効ラインを表示するよう構成される。第１の線状部２２Ａは、例えば図３に示す如く、直線的に延在する断面三角形状の凹部であって、第１矩形透明板１２ａの裏面から所謂谷部に向けて対向的に傾斜する一対の反射面３２,３２で形成されている。また第１矩形透明板１２ａの外方には、第１の線状部２２Ａにおける両端縁部と対応する位置に、光源としてのＬＥＤランプ２４,２４が配置されており、その照射光が、該透明板１２ａの内部を直進したり該透明板１２ａと空気との界面で全反射して、最終的に前記反射面３２,３２から前面側に出るようになる所謂「エッジライト効果」を利用して、当該第１の線状部２２Ａを明輝表示させ得るよう構成してある。なお、光源としてはＬＥＤランプ２４に限定されるものでなく、フィラメント式等、他のものであってもよい。
【００１７】
前記ＬＥＤランプ２４は、図３に示す如く、前記第１矩形透明板１２ａの板厚と同程度の直径を有し、前方指向性の高い照射光を発光する公知のものであって、小型ながらも第１の線状部２２Ａの反射面３２,３２を好適に照射可能となっている。第１実施例においては、第１の線状部２２Ａの両側に位置するＬＥＤランプ２４,２４は、第１矩形透明板１２ａと一体的に回転して、該ＬＥＤランプ２４,２４からの照射光が常に第１の線状部２２Ａの反射面３２,３２に対して略一定角度で到達するように設定されている。なお、ＬＥＤランプ２４,２４への給電は、従来公知のブラシ等を用いて行なわれるよう構成される。また各ＬＥＤランプ２４は、図示しないランプ制御部により点灯・消灯制御されるようになっており、その色も、赤色、青色、緑色、黄色、白色、橙色等の種々の発光色のものが採用可能である。
【００１８】
前記第１の線状部２２Ａの反射面３２,３２は、所謂磨りガラス状に加工されており、巨視的には不透明状または半透明状を呈しているが、微視的には多数の微小面が連接した凹凸形状となっており、前記ＬＥＤランプ２４,２４からの照射光により鮮明に明輝し得るよう構成される。また第１の線状部２２Ａは、その深さが一定ではなく、図４(ａ)に示すように、第１矩形透明板１２ａの外端縁から中央部に向かうに従って深くなるよう設定されており、ＬＥＤランプ２４,２４からの照射光が反射面３２,３２に対して所要角度で到達して反射され得るよう設定される。更に、第１の線状部２２Ａにおける両反射面３２,３２の不透明度は全長に亘って均一ではなく、前記ＬＥＤランプ２４の近傍では不透明度が小さく(透明に近い)、該ＬＥＤランプ２４から離れる程に不透明度が徐々に増大するように設定されている。具体的には、図４(ｂ)に略示する如く、前記第１の線状部２２Ａの反射面３２,３２の不透明度は、第１矩形透明板１２ａの外端縁から中央部に向かうに従って徐々に増大するよう設定され、これによって第１の線状部２２Ａの全体が略均一に明輝するよう構成される。
【００１９】
【第１実施例に係る有効ライン表示装置の作用について】
このように構成された第１実施例に係る有効ライン表示装置１１Ａを備えたパチンコ機Ｐでは、前記始動入賞具６２のスイッチからの始動信号入力条件により、制御回路装置から発生される制御出力に基いて、前記図柄表示装置１８の図柄４４の変動が開始される。このとき、前記駆動制御手段１６から回転駆動手段１４に対して回転信号が送られ、該駆動手段１４により前記駆動ローラ２８が回転され、該駆動ローラ２８の回転に伴ってリング状支持体２６および第１矩形透明板１２ａが一体的に回転することで、前記第１の線状部２２Ａも回転する。またランプ制御部がＬＥＤランプ２４,２４を点灯制御することで、第１の線状部２２Ａを明輝させて、該線状部２２Ａが回転していることを遊技者に認識させる。なお、第１実施例のように透明板１２ａを矩形状に形成した場合は、その角部等の動きによって該透明板１２ａが回転していることがより明確となる。そして、図柄表示装置１８の図柄変動が停止する前に、今回の図柄組合わせゲームにおいて特別遊技状態となり得る図柄組合わせ位置に第１の線状部２２Ａが到来した時点で第１矩形透明板１２ａが回転停止することで、有効ラインを表示する。
【００２０】
第１実施例においては、前述した如く、前記第１矩形透明板１２ａの中央を通る位置に１本の第１の線状部２２Ａのみが形成されているため、該第１矩形透明板１２ａの回転に伴い、この第１の線状部２２Ａは、その延在方向中央部を中心に回転することになる。従って、３列×３段で合計９個の図柄４４が表示される前記透視窓部４２に対しては、図５に示す如く、特別遊技状態となり得る有効ラインとして４種類を表示することが可能である。すなわち、図５(ａ)に示す各列中段に停止した図柄群に整列するライン、図５(ｂ)に示す中央列の上段、中段および下段に停止した図柄群に整列するライン、図５(ｃ)に示す左列下段、中列中段および右列上段に停止した図柄群に整列するライン、図５(ｄ)に示す左列上段、中列中段および右列下段に停止した図柄群に整列するラインである。
【００２１】
このように第１実施例の有効ライン表示装置１１Ａでは、前記図柄表示装置１８の図柄変動が停止する前に、有効ラインを表示する第１の線状部２２Ａが回転するから、常に定位置に有効ラインが表示される従来に比べ、視覚的効果を高めて遊技に対する興趣が増大する。また、第１矩形透明板１２ａの回転方向や回転速度を、前記駆動制御手段１６によりゲーム性に併せて変化させるよう制御することで、演出態様に変化をもたせ、更に遊技性や娯楽性を向上させることができる。例えば、予め設定された条件を満たしたときに、第１矩形透明板１２ａを通常とは異なる方向あるいは速度で回転するよう制御することで、遊技者に有利な状態への移行を期待させる演出も可能となる。なお、図柄表示装置１８の図柄変動が停止した後に、第１矩形透明板１２ａを回転停止したり、該第１矩形透明板１２ａが停止した後にＬＥＤランプ２４,２４を点灯して第１の線状部２２Ａを明輝させる等、各種の制御が可能である。更には、ＬＥＤランプ２４,２４を定位置に固定しておき、第１矩形透明板１２ａのみを回転させるようにしてもよい。
【００２２】
なお、以下に示す第２〜第６実施例の有効ライン表示装置に関しては、第１実施例と異なる部分について主に説明することとする。
【００２３】
【第２実施例に係る有効ライン表示装置について】
図６は、第２実施例に係る有効ライン表示装置を示すものであって、該第２の有効ライン表示装置１１Ｂでは、第１実施例と同様に透視体１０は１枚の透明板１２ｂで構成されるものであるが、該透明板１２ｂは円形状に形成されている(以下 第１円形透明板と云う)。この第１円形透明板１２ｂは、複数の支持ローラ３０で外周縁部が直に支持されて、略垂直面内で回動可能に構成される。また前記回転駆動手段１４の駆動ローラ２８が、第１円形透明板１２ｂの外周縁部に当接する状態で配設されており、該回転駆動手段１４の正逆回転によって第１円形透明板１２ｂが正逆回転するようになっている。
【００２４】
前記第１円形透明板１２ｂの裏面には、第１実施例における第１の線状部２２Ａと同一構成の指示部としての第２の線状部２２Ｂが、該透明板１２ｂの中心を通って直径方向の全長に亘って延在するよう形成されて、この第２の線状部２２Ｂで有効ラインを表示するよう構成される。なお、第２の線状部２２Ｂの長さも、前記図柄表示装置１８に停止表示される縦・横または斜め方向に整列する３つの図柄４４を同時に示し得る長さに設定されている。また第１円形透明板１２ｂの径方向の外方には、周方向に略４５°の角度毎に光源であるＬＥＤランプ２４が配置され、その照射光が第１円形透明板１２ｂの外周縁に向くよう設定されている。
【００２５】
すなわち、第１円形透明板１２ｂの中心を通る位置に１本の第２の線状部２２Ｂを形成した第２実施例のライン表示の作用は、基本的には第１実施例と同じであって、図５に示す４種類の有効ラインを動的演出により表示可能である。但し、各表示ラインを示す位置に停止した第２の線状部２２Ｂを挟む両端側にＬＥＤランプ２４,２４が固定配置される第２実施例では、第１円形透明板１２ｂが停止した後に対応する位置の一対のＬＥＤランプ２４,２４が点灯されて、第２の線状部２２Ｂを明輝させることで有効ラインを表示するようになっている。なお、全てのＬＥＤランプ２４を点灯したもとで、第１円形透明板１２ｂを回転した場合は、第２の線状部２２Ｂでの光の反射状態が変化するから、視覚的な効果をより向上することが期待できる。また第２実施例では、透明板１２ｂを円形状に形成しているから、該透明板１２ｂが回転していることを遊技者に気付かせることなく、線状部２２Ｂのみが回転しているように演出し得る。
【００２６】
【第３実施例に係る有効ライン表示装置について】
図７は、第３実施例に係る有効ライン表示装置を示すものであって、該第３の有効ライン表示装置１１Ｃでは、図に示す如く、前後に重なるよう配置した２枚の透明板１２ａ,１２ｃで透視体１０が構成されている。前側に位置する透明板(第１矩形透明板)１２ａは、第１実施例の透明板と同一構成のものであって、１本の第１の線状部２２Ａが板面の中央を通るように形成されている。これに対して後側に位置する透明板１２ｃは、第１矩形透明板１２ａと同一寸法の矩形状に形成されたものであって(以下 第２矩形透明板と云う)、この第２矩形透明板１２ｃの裏面には、第１矩形透明板１２ａに形成された第１の線状部２２Ａと同様の構成の指示部としての第３の線状部２２Ｃが、板面の中央から変位した位置、具体的には前記透視窓部４２に表示される各列上段や下段に停止した図柄群、あるいは左列全段や右列全段に停止した図柄群を同時に示し得る位置であって、第１の線状部２２Ａと平行の関係となり得る姿勢で形成されている。すなわち第３実施例では、２本の線状部２２Ａ,２２Ｃによって、同時に２種類の有効ラインを表示し得るよう構成されている。
【００２７】
また各透明板１２ａ,１２ｃは、第１実施例と同様に、その外周に配設されたリング状支持体２６が複数の支持ローラ３０で回動可能に支持されると共に、夫々独立した回転駆動手段１４により個別に回転されるよう構成される。また各回転駆動手段１４の回転開始、回転停止、回転方向および回転速度は、駆動制御手段１６によって夫々個別に制御されるようになっている。更に、各透明板１２ａ,１２ｃの外方には、対応する線状部２２Ａ,２２Ｃの両端縁部と対応する位置に、ＬＥＤランプ２４,２４が配置されており、その照射光によって線状部２２Ａ,２２Ｃを明輝させ得るよう構成してある。なお第３実施例においては、各ＬＥＤランプ２４,２４が対応する透明板１２ａ,１２ｃと一体的に回転するよう構成される。
【００２８】
【第３実施例に係る有効ライン表示装置の作用について】
前述した第３実施例に係る第３の有効ライン表示装置１１Ｃでは、前記図柄表示装置１８が搭載されたパチンコ機Ｐの遊技態様に応じて第１矩形透明板１２ａと第２矩形透明板１２ｃとが、同期あるいは単独で所定方向に回転し、特別遊技状態となり得る図柄組合わせ位置に各線状部２２Ａ,２２Ｂが到来したときに回転停止することで、有効ラインを線状部２２Ａ,２２Ｃで表示する。
【００２９】
第３実施例のように２本の線状部２２Ａ,２２Ｃで表示し得る有効ラインの種類は、第１矩形透明板１２ａにおける第１の線状部２２Ａのみで表示される種類と、第２矩形透明板１２ｃにおける第３の線状部２２Ｃのみで表示される種類とを合成したものとなる。そこで、例えば第１矩形透明板１２ａにおける第１の線状部２２Ａで、前記透視窓部４２に表示される各列中段に整列する図柄群を有効ラインとして表示している状態で、第２矩形透明板１２ｃにおける第３の線状部２２Ｃにより第１の線状部２２Ａとは異なる有効ラインを表示する第１のパターンと、第２矩形透明板１２ｃにおける第３の線状部２２Ｃで、透視窓部４２に表示される各列上段に整列する図柄群を有効ラインとして表示している状態で、第１矩形透明板１２ａにおける第１の線状部２２Ａで第３の線状部２２Ｃとは異なる有効ラインを表示する第２のパターンについて説明する。
【００３０】
すなわち、第１のパターンでは、図８に示すように、第１の線状部２２Ａで各列中段に整列する図柄群を有効ラインとして表示しているもとで、第３の線状部２２Ｃにより、各列上段に整列する図柄群(図８(ａ))、右列の上段、中段および下段に整列する図柄群(図８(ｂ))、各列下段に整列する図柄群(図８(ｃ))または左列の上段、中段および下段に整列する図柄群(図８(ｄ))を有効ラインとして表示することができる。
【００３１】
また第２のパターンでは、図９に示すように、第３の線状部２２Ｃで各列上段に整列する図柄群を有効ラインとして表示しているもとで、第１の線状部２２Ａにより、各列中段に整列する図柄群(図９(ａ))、左列上段、中列中段および右列下段に整列する図柄群(図９(ｂ))、中列上段、中段および下段に整列する図柄群(図９(ｃ))または左列下段、中列中段および右列上段に整列する図柄群(図９(ｄ))を有効ラインとして表示することができる。
【００３２】
このように、第３実施例に係る第３の有効ライン表示装置１１Ｃでは、２本の線状部２２Ａ,２２Ｃを前後に設けたことで、複数の異なった組合わせで有効ラインを表示することができ、遊技性の多様化を図ることができる。また、２枚の透明板１２ａ,１２ｃの回転方向や回転速度を変化させることで、一層複雑な演出が可能となる。更には、各透明板１２ａ,１２ｃの停止時点を異ならせることで、遊技の興趣を高めることができる。
【００３３】
【第４実施例に係る有効ライン表示装置】
図１０は、第４実施例に係る有効ライン表示装置を示すものであって、該第４の有効ライン表示装置１１Ｄでは、図に示す如く、前後に重なるよう配置した２枚の透明板１２ｂ,１２ｄで透視体１０が構成されている。前側に位置する透明板(第１円形透明板)１２ｂは、第２実施例の透明板と同一構成のものであって、１本の第２の線状部２２Ｂが板面の中心を通るように形成されている。これに対して後側に位置する透明板１２ｄは、第１円形透明板１２ｂと同一寸法の円形状に形成されたものであって(以下 第２円形透明板と云う)、この第２円形透明板１２ｄの裏面には、第１円形透明板１２ｂに形成された第２の線状部２２Ｂと同一構成の指示部としての第４の線状部２２Ｄが、板面の中心から変位した位置において、第２の線状部２２Ｂと平行の関係となり得る状態で形成されている。すなわち、第２の線状部２２Ｂと第４の線状部２２Ｄとの位置関係は、前記第３実施例の第１の線状部２２Ａと第３の線状部２２Ｃとの関係と同じであって、これら２本の線状部２２Ｂ,２２Ｄによって、同時に２種類の有効ラインを表示し得るよう構成されている。
【００３４】
また各透明板１２ｂ,１２ｄは、第２実施例と同様に、その外周縁が複数の支持ローラ３０で直接支持されて回動可能に構成されると共に、夫々独立した回転駆動手段１４により個別に回転されるよう構成される。また各回転駆動手段１４の回転開始、回転停止、回転方向および回転速度は、駆動制御手段１６によって夫々個別に制御される。更に、第１円形透明板１２ｂの径方向の外方には、複数のＬＥＤランプ２４が周方向に略４５°の間隔で配置されて、該ＬＥＤランプ２４により第２の線状部２２Ｂを明輝させ得るよう構成される。なお、第２円形透明板１２ｄの径方向の外方には、図８に示す各有効ラインを表示するよう停止した第４の線状部２２Ｄの両端縁部と対応する位置に、一対のＬＥＤランプ２４,２４が夫々配置されており、その照射光によって第４の線状部２２Ｄを明輝させ得るよう構成してある。
【００３５】
そして、第４実施例に係る第４の有効ライン表示装置１１Ｄでは、前記第３実施例と同じく、複数の組合わせの異なる有効ラインを表示することができる。なお、当該第４の有効ライン表示装置１１Ｄの作用効果は、第３実施例と同じである。
【００３６】
【第５実施例に係る有効ライン表示装置について】
図１１は、第５実施例に係る有効ライン表示装置を示すものであって、該第５の有効ライン表示装置１１Ｅの基本的な構成は、第３実施例と同一であって、透視体１０を構成する前側に位置する第３矩形透明板１２ｅに形成される指示部としての第５の線状部２２Ｅおよび後側に位置する第４矩形透明板１２ｆに形成される指示部としての第６の線状部２２Ｆの形成範囲が異なっている。
【００３７】
すなわち、第３矩形透明板１２ｅの裏面に形成される第５の線状部２２Ｅは、該透明板１２ｅの１つの辺における長手方向の中央から板面の中央まで延在する長さに設定される。また同様に、第４矩形透明板１２ｆの裏面に形成される第６の線状部２２Ｆも、該透明板１２ｆの１つの辺における長手方向の中央から板面の中央まで延在する長さに設定されている。両線状部２２Ｅ,２２Ｆの構成は、基本的には前述した各実施例の線状部と同じであるが、その長さが半分に設定されて、各線状部２２Ｅ,２２Ｆでは前記透視窓部４２に表示される図柄４４のうち、中列中段の図柄４４と他の図柄４４との２つの図柄４４,４４を同時に示し得るよう構成される。そして、このように長さを変更したことで、２本の線状部２２Ｅ,２２Ｆを組合わせることで、前述した第１〜第４実施例とは異なる折れ曲がった有効ラインも表示し得るようになっている(図１２参照)。なお、両線状部２２Ｅ,２２Ｆの深さは、透明板１２ｅ,１２ｆの端縁部から中央に向かうに従って深くなるよう設定される。
【００３８】
第５の有効ライン表示装置１１Ｅでは、第３矩形透明板１２ｅの外方における第５の線状部２２Ｅの開放端縁部(透明板１２ｅの辺に臨む端縁部)と対応する位置にＬＥＤランプ２４が配置される。また第４矩形透明板１２ｆの外方における第６の線状部２２Ｆの開放端縁部(透明板１２ｆの辺に臨む端縁部)と対応する位置にＬＥＤランプ２４が配置される。そして、各ＬＥＤランプ２４は、対応する第３または第４矩形透明板１２ｅ,１２ｆと共に一体的に回転するよう構成され、ＬＥＤランプ２４からの照射光により常に第５または第６の線状部２２Ｅ,２２Ｆを明輝させ得るよう構成してある。
【００３９】
【第５実施例に係る有効ライン表示装置の作用について】
前述した第５実施例に係る第５の有効ライン表示装置１１Ｅでは、前記図柄表示装置１８が搭載されたパチンコ機Ｐの遊技態様に応じて第３矩形透明板１２ｅと第４矩形透明板１２ｆとが、同期あるいは単独で所定方向に回転し、特別遊技状態となり得る図柄組合わせ位置に各線状部２２Ｅ,２２Ｆが到来したときに回転停止することで、有効ラインを線状部２２Ｅ,２２Ｆで表示する。
【００４０】
第５実施例のように２本の線状部２２Ｅ,２２Ｆで表示し得る有効ラインの種類は、第３矩形透明板１２ｅの第５の線状部２２Ｅと、第４矩形透明板１２ｆの第６の線状部２２Ｆとを組合わせた多数種となる。そこで、一例として、第３矩形透明板１２ｅにおける第５の線状部２２Ｅが、前記透視窓部４２に表示される図柄４４のうち、中列中段および右列中段に整列する図柄群を示している状態で、第４矩形透明板１２ｆにおける第６の線状部２２Ｆで異なる図柄群を示すことで有効ラインを表示するパターンについて説明する。なお、図１２(ａ)に示すように、第４矩形透明板１２ｆの第６の線状部２２Ｆを、第３矩形透明板１２ｅにおける第５の線状部２２Ｅと前後に重なるように停止した場合は、３個の図柄４４の図柄組合わせラインを表示しない状態となる。
【００４１】
▲１▼ 第６の線状部２２Ｆで、中列中段と右列下段の図柄４４を示すことで、図１２(ｂ)に示す如く、右列中段、中列中段および右列下段に停止する図柄群を有効ラインとして表示する。
▲２▼ 第６の線状部２２Ｆで、中列中段と中列下段の図柄４４を示すことで、図１２(ｃ)に示す如く、右列中段、中列中段および中列下段に停止する図柄群を有効ラインとして表示する。
▲３▼ 第６の線状部２２Ｆで、中列中段と左列下段の図柄４４を示すことで、図１２(ｄ)に示す如く、右列中段、中列中段および左列下段に停止する図柄群を有効ラインとして表示する。
▲４▼ 第６の線状部２２Ｆで、中列中段と左列中段の図柄４４を示すことで、図１２(ｅ)に示す如く、右列中段、中列中段および左列中段に停止する図柄群を有効ラインとして表示する。
▲５▼ 第６の線状部２２Ｆで、中列中段と左列上段の図柄４４を示すことで、図１２(ｆ)に示す如く、右列中段、中列中段および左列上段に停止する図柄群を有効ラインとして表示する。
▲６▼ 第６の線状部２２Ｆで、中列中段と中列上段の図柄４４を示すことで、図１２(ｇ)に示す如く、右列中段、中列中段および中列上段に停止する図柄群を有効ラインとして表示する。
▲７▼ 第６の線状部２２Ｆで、中列中段と右列上段の図柄４４を示すことで、図１２(ｈ)に示す如く、右列中段、中列中段および右列上段に停止する図柄群を有効ラインとして表示する。
【００４２】
なお、前述した有効ラインのパターンは一例であって、第３矩形透明板１２ｅにおける第５の線状部２２Ｅで示す位置を変更することで、更に異なる有効ラインを表示することが可能である。
【００４３】
このように第５実施例の有効ライン表示装置１１Ｅでは、各透明板１２ｅ,１２ｆに形成する線状部２２Ｅ,２２Ｆの長さを短かく設定したことで、３つの図柄４４が直線状に整列した有効ラインの他に、折れ曲がった有効ラインを表示することができ、遊技性の幅を広げることが可能となる。なお、その他の作用効果に関しては、前述した各実施例と同様である。
【００４４】
【第６実施例に係る有効ライン表示装置について】
図１３は、第６実施例に係る有効ライン表示装置を示すものであって、該第６の有効ライン表示装置１１Ｆの基本的な構成は、第４実施例と同一であって、透視体１０を構成する前側に位置する第３円形透明板１２ｇに形成される指示部としての第７の線状部２２Ｇおよび後側に位置する第４円形透明板１２ｈに形成される指示部としての第８の線状部２２Ｈの形成範囲が異なっている。
【００４５】
すなわち、第３円形透明板１２ｇの裏面に形成される第７の線状部２２Ｇは、板面の中心から周端縁まで径方向に延在し、また第４円形透明板１２ｈの裏面に形成される第８の線状部２２Ｈも、板面の中心から周端縁まで径方向に延在する。両線状部２２Ｇ,２２Ｈの構成は、基本的には前述した各実施例の線状部と同じであるが、その長さが第５実施例と同様に半分に設定される。なお、両線状部２２Ｇ,２２Ｈの深さは、透明板１２ｇ,１２ｈの外周端縁部から中心に向かう従って深くなるよう設定される。また第６実施例では、第３円形透明板１２ｇおよび第４円形透明板１２ｈの外方には、複数のＬＥＤランプ２４が周方向に略４５°の間隔で夫々配置されて、該ＬＥＤランプ２４により第７の線状部２２Ｇまたは第８の線状部２２Ｈを明輝させ得るよう構成される。
【００４６】
そして、２本の線状部２２Ｇ,２２Ｈの長さを更変した第６の有効ライン表示装置１１Ｆでは、両線状部２２Ｇ,２２Ｈで示す図柄４４の組合わせを異ならせることで、前記第５実施例と同じ種類の有効ラインを表示することができる。従って、その作用効果は第５実施例と同じである。
【００４７】
【別実施例について】
前記透明板に形成される指示部としての線状部の位置や長さ等に関しては、前述した各実施例の構成に限定されるものでなく、その他のものを採用し得る。例えば２枚の透明板を用いる場合では、図１４(ａ)に示すように、一方の透明板に、前記透視窓部４２における左列上段と中列上段の図柄４４を示し得る第１の別線状部２３Ａ、中列中段と右列中段の図柄４４を示し得る第２の別線状部２３Ｂ、および左列下段と中列下段の図柄４４を示し得る第３の別線状部２３Ｃを形成すると共に、他方の透明板に、図１４(ｂ)に示す如く、透視窓部４２における中列上段と右列上段の図柄４４を示し得る第４の別線状部２３Ｄ、左列中段と中列中段の図柄４４を示し得る第５の別線状部２３Ｅ、および中列下段と右列下段の図柄４４を示し得る第６の別線状部２３Ｆを形成する。
【００４８】
この構成によれば、一方の透明板と他方の透明板とを前後に重ねることで、上中下の各段で整列する図柄群を有効ラインとして表示し得ると共に、前後の透明板を相互に回転して所定位置で停止させることで、左中右の各列で整列する図柄群や斜めに整列する図柄群を有効ラインとして表示することが可能となる。
【００４９】
また、一方の透明板に、図１５(ａ)に示すように、透視窓部４２における左列上段、中列上段および右列上段の図柄４４を示し得る第７の別線状部２３Ｇと、左列中段と中列中段の図柄４４を示し得る第８の別線状部２３Ｈとを形成すると共に、他方の透明板に、図１５(ｂ)に示す如く、透視窓部４２における中列中段と右列中段の図柄４４を示し得る第９の別線状部２３Ｉと、左列下段、中列下段および右列下段の図柄４４を示し得る第１０の別線状部２３Ｊを形成する構成を採用し得る。
【００５０】
【変更例】
なお、透視体を構成する透明板の枚数は、実施例に示す１または２枚に限定されるものでなく、３枚以上であってもよく、各透明板に形成される線状部に関しても、その位置や長さを任意に設定することが可能である。また線状部は、実施例に示した断面三角形状に限定されるものではなく、ＬＥＤランプ(光源)からの照射光を適切に反射し得れば、例えば断面コ字状あるいはＵ字状等であってもよく、更には透明板の板面から外方に突出する突部で線状部を構成することもできる。更に、実施例では透視窓部に３列×３段で合計９個の図柄が表示される場合で説明したが、該透視窓部に表示される図柄の数はこれに限定されるものでない。そして、透視窓部に表示される図柄の数に応じて、前記透明板の数や線状部の位置あるいは長さは適宜に設定されるものである。更にまた、透明板自体の形状は、矩形や円形に限らず、適正な長さの線状部が形成し得るものであれば、多角形や任意の形状を採用し得る。なお、各実施例において透明板の周囲等に適宜の着色を施せば、新鮮な演出が可能となる。
【００５１】
また実施例では、線状部をＬＥＤランプの光で明輝させるようにしたが、透明板の表面または裏面に、塗料やシール等の手段により線状部を設けるようにしてもよい。更に、実施例では、有効ラインを表示する指示部として線状の線状部を設けた場合で説明したが、この指示部は線状である必要はなく、複数の図柄の位置を示し得る例えば丸とか星印等のマーク等であってもよい。更にまた、透明板を回転させる機構は、実施例の構成に限定されるものでなく、例えば透明板の中心に突設した軸に回転駆動手段を直接または間接的に連結して回転させる等、その他各種の手段を用いることができる。なお、遊技機に採用される図柄表示装置は、液晶式に限らずベルト式やドラム式等の各種の図柄表示装置を採用し得るものであり、このベルト式やドラム式であっても、透視窓部に停止表示させる複数列・複数段の図柄と対応する数のベルトおよびドラムを配設することで、全ての図柄を異ならせることは可能である。
【００５２】
【発明の効果】
以上説明した如く、本発明に係る遊技機によれば、透視窓部に対応的に配設した透明板を回転駆動手段により回転し、該透明板を駆動制御手段により回転停止し得るよう構成したから、該透明板に設けられた線状部により図柄組合わせの有効ラインを動的に演出表示することができ、遊技の興趣を高めることができる。また、透明板の回転方向あるいは回転速度を駆動制御手段により制御して変化させることによって、視覚的効果を向上させ得る。更に、透明板を複数の透明板で構成することにより、一層複雑な演出で図柄組合わせの有効ラインを表示することができると共に、遊技性の幅を広げることができる。なお、光源を使用して透明板の線状部を明輝表示することで、遊技者に明確に図柄組合わせの有効ラインを認識させ得る効果を奏する。
【００５３】
更に、本発明に係る遊技機では、図柄表示装置の図柄組合わせゲームと、有効ライン表示装置による図柄組合わせ有効ラインの動的な演出表示によって、より興趣に富んだ遊技を提供し得る利点を有する。
【図面の簡単な説明】
【図１】本発明の第１実施例に係る有効ライン表示装置を示す概略斜視図である。
【図２】第１実施例に係る有効ライン表示装置が実施されるパチンコ機を示す正面図である。
【図３】透明板の両端縁部側に配置したＬＥＤランプからの照射光が線状部を形成する反射面で反射して透明板の前面側へ出光することで、該線状部が明輝して有効ラインを表示する態様を示す説明断面図である。
【図４】  (ａ)は、透明板の線状部において、両端縁部から中央部に向かうにつれて徐々に深くなるよう設定することで、ＬＥＤランプからの照射光が反射面に対して所要角度で到達して反射され易くなることを示す説明断面図であり、(ｂ)は、透明板の線状部を形成する反射面の不透明度を、両端縁部から中央部に向かうにつれて徐々に増大するよう設定することで、該線状部全体が略均一に明輝されることを示す説明断面図である。
【図５】第１実施例に係る有効ライン表示装置の線状部により表示し得る有効ラインのパターンを示す説明図である。
【図６】本発明の第２実施例に係る有効ライン表示装置を示す概略斜視図である。
【図７】本発明の第３実施例に係る有効ライン表示装置を示す概略斜視図である。
【図８】第３実施例に係る有効ライン表示装置の線状部により表示し得る有効ラインのパターンを示す説明図である。
【図９】第３実施例に係る有効ライン表示装置の線状部により表示し得る有効ラインの別パターンを示す説明図である。
【図１０】本発明の第４実施例に係る有効ライン表示装置を示す概略斜視図である。
【図１１】本発明の第５実施例に係る有効ライン表示装置を示す概略斜視図である。
【図１２】第５実施例に係る有効ライン表示装置の線状部により表示し得る有効ラインのパターンを示す説明図である。
【図１３】本発明の第６実施例に係る有効ライン表示装置を示す概略斜視図である。
【図１４】線状部の形成パターンの別例を示す説明図である。
【図１５】線状部の形成パターンの更に別の例を示す説明図である。
【図１６】図柄表示装置を裏側に設置したパチンコ機の遊技盤を示す正面図である。
【図１７】３列×３段で合計９個の図柄を図柄表示部に停止表示する図柄表示装置の場合に、特定の図柄組合わせが成立可能な有効ラインを、大型装飾部材の透視窓部に配設した透視体に形成した状態を示す説明図である。
【符号の説明】
１１Ａ  第１の有効ライン表示装置
１１Ｂ  第２の有効ライン表示装置
１１Ｃ  第３の有効ライン表示装置
１１Ｄ  第４の有効ライン表示装置
１１Ｅ  第５の有効ライン表示装置
１１Ｆ  第６の有効ライン表示装置
１２ａ  第１矩形透明板
１２ｂ  第１円形透明板
１２ｃ  第２矩形透明板
１２ｄ  第２円形透明板
１２ｅ  第３矩形透明板
１２ｆ  第４矩形透明板
１２ｇ  第３円形透明板
１２ｈ  第４円形透明板
１４  回転駆動手段
１６  駆動制御手段
１８  図柄表示装置
２２Ａ  第１の線状部
２２Ｂ  第２の線状部
２２Ｃ  第３の線状部
２２Ｄ  第４の線状部
２２Ｅ  第５の線状部
２２Ｆ  第６の線状部
２２Ｇ  第７の線状部
２２Ｈ  第８の線状部
２３Ａ  第１の別線状部
２３Ｂ  第２の別線状部
２３Ｃ  第３の別線状部
２３Ｄ  第４の別線状部
２３Ｅ  第５の別線状部
２３Ｆ  第６の別線状部
２３Ｇ  第７の別線状部
２３Ｈ  第８の別線状部
２３Ｉ  第９の別線状部
２３Ｊ  第１０の別線状部
２４  ＬＥＤランプ
２６  リング状支持体
２８  駆動ローラ
３２  反射面
３８  遊技盤
４０  装飾部材
４２  透視窓部
４４  図柄
６２  始動入賞具
【図１】
0004193022.tif 000002
【図２】
0004193022.tif 000003
【図３】
0004193022.tif 000004
【図４】
0004193022.tif 000005
【図５】
0004193022.tif 000006
【図６】
0004193022.tif 000007
【図７】
0004193022.tif 000008
【図８】
0004193022.tif 000009
【図９】
0004193022.tif 000010
【図１０】
0004193022.tif 000011
【図１１】
0004193022.tif 000012
【図１２】
0004193022.tif 000013
【図１３】
0004193022.tif 000014
【図１４】
0004193022.tif 000015
【図１５】
0004193022.tif 000016
【図１６】
0004193022.tif 000017
【図１７】
0004193022.tif 000018